(57)【特許請求の範囲】
【請求項１】
製品の本体と、
当該本体内に配設し、外郭を有し当該外郭内部に給電用の電源コードを巻取り保持させるコードリールセットと、
前記本体内に配設し、本体内に設けた電気製品の制御を行う制御基板とを有し、
前記外郭と前記制御基板とを兼用することにより前記コードリールセットと前記制御基板とを一体化したことを特徴とする電気製品。
【発明の詳細な説明】
【０００１】
【発明の属する技術分野】
本発明は、電源コードを巻き取り保持するコードリールを有する電気製品に関するものである。
【０００２】
【従来の技術】
従来より、炊飯器や電気掃除機等の電気製品には、一般的に、それらに使用されるヒータや電動送風機への給電のために商用電源との接続が可能な電源コードを備えている。更に、それらの多くは、電源コードを巻き取り保持するコードリールを電気製品内部に備え、使用時には、該コードリールから適長の電源コードを引き出して商用電源と接続することにより所望の動作を行う一方、非使用時には、電源コードの全長を前記コードリールに巻き取らせて所定の場所に収納できるようにしている。
【０００３】
一方、上記コードリールは、通常は電気製品内部の適宜箇所に固設しており、他の内部部品（制御基板等）とリード線やコネクタ等によって接続されるのが通常である。また、電気掃除機では、コードリールを支持したリール基台に制御基板を一体的に取り付けて、コードリールと制御基板の配線の煩わしさを解消し、組み立て作業性の向上を図ったものもある（例えば、特開平８−２４１８２号公報参照）。
【０００４】
【発明が解決しようとする課題】
しかしながら、コードリールを電気製品内部の適宜箇所に固設した場合は、コードリールは他の制御基板等と独立して設けられるのが一般的である。このため、電気製品全体をコンパクトにするという要請に対しては、コードリールを小さくするか、制御基板等を小さくするしかなく、設計上の自由度が著しく制限されるという問題がある。また、前記の電気掃除機のような構造では、配線作業の簡便化を図ることは可能であるが、リール基台を介してコードリールと制御基板を一体化しているため、これらを一体化する作業を要するという問題がある。さらに、例えば炊飯ジャー等では、電源コードから発生する雑音を吸収するべく、雑音防止用コンデンサを制御基板に設けるのが一般的であるが、前述の如くコードリールと制御基板とが離れた位置にある場合、雑音低減の効果が薄れてしまうという問題も生じる。
【０００５】
そこで本発明は、コードリールを搭載した電気製品において、該コードリールや搭載する制御基板を小型化することなく製品のコンパクト性を確保することを第一の目的とする。また、当該コードリールと制御基板の一体化を簡便に行うことを第二の目的とする。さらに、電源コードから発生する雑音を効果的に低減することを第三の目的とする。
【０００６】
【課題を解決するための手段】
前記課題を解決するため、本発明の電気製品は、製品の本体と、当該本体内に配設し、外郭を有し当該外郭内部に給電用の電源コードを巻取り保持させるコードリールセットと、前記本体内に配設し、本体内に設けた電気部品の制御を行う制御基板とを有し、前記外郭と前記制御基板とを兼用することにより前記コ−ドリールセットと前記制御基板とを一体化した構成を採用した。
【０００７】
前記電気製品では、電気製品の本体内に収容されたコードリールセットと制御基板とを、別の専用部材を介さずに一体化しているため、コードリールセットと制御基板とを別々の箇所に配設した場合に比べ製品のコンパクト化を実現することができるとともに、配線作業も簡便にできる。
【０００８】
また、前記外郭と前記制御基板とを兼用する構成にしたことにより外郭に直接電子部品を配置して製品のコンパクト化を実現できる。
【００１１】
【発明の実施の形態】
以下、本発明の実施の形態を図面に従って説明する。
【００１２】
図1は、第1実施形態に係るコードリールを用いた電気製品である炊飯器１を示す。この炊飯器１は、本体２と内鍋３と蓋体４とからなり、本体２には内鍋３を上方から取出し可能に収容する内鍋収容凹部５が形成されている。内鍋収容凹部５の底には内鍋３を加熱する誘導加熱装置等の加熱装置６が配設されている。内鍋収容凹部５の内側面には、内鍋３の外周面に圧接して内鍋３の温度を検出する温度センサ７が取り付けられている。本体２の肩部正面には操作表示パネル８が配設され、使用者が炊飯器１を外部から操作することが出来るようになっているとともに、当該操作表示パネル８の裏側にそれに対応する操作基板２１を本体内に設けている。
【００１３】
前記本体２の後側部と前記内鍋収容凹部５との間の空間には、コードリールセット９が配接されている。このコードリールセット９は、図２（ａ）に示すように、正面視が略円形状であり、その外周部の３箇所に突起部１０が設けられているとともに、正面のほぼ中央部に給電用のタブ端子１１，１１が設けられている。また右下方部に商用電源へ接続するためのプラグ１２が突出し、当該プラグ１２を右下方部へ引き出すとコードリールセット９に収容されたコード１３が引き出せるようになっている。
【００１４】
前記コードリールセット９は、図３に示すように、前方外郭部材１４と後方外郭部材１５とをネジにより締結する等の方法で外郭１６を構成しており、当該外郭１６内にコード１３を図示しないバネとともに巻き取って収納した状態で保持している。ここで前方外郭部材１４は、樹脂や、アルミナ等のセラミックが使用され、前記加熱装置６や温度センサ７、操作基板２１と接続してこれらの制御を行うための制御基板１７を兼ねている。そして制御基板１７には、制御用の電子部品１８として、ＩＣ、コンデンサ、抵抗等が適宜配置されている。また制御基板１７とコード１３との間にマイカシート等の絶縁シートを挿入して絶縁を確保している。さらに前述のタブ端子１１，１１は制御基板１７を貫通して突出しており、制御基板１７に設けた配線パターンと半田付け等により電気的に接続している。
【００１５】
上記のような構成のコードリールセット９では、前方外郭部材１４が制御基板１７を兼用しているため、新たに制御基板１７を設けるスペースを確保する必要がなく、製品全体をコンパクトにすることができる。また、タブ端子１１，１１と制御基板１７とを直接電気的に接続することができるため、配線作業の簡便化も図ることができる。
【００１６】
図４は、第２実施形態に係るコードリールセット９の概略断面図である。この第２実施形態が第１実施形態と異なる点は、前方外郭部材１４と制御基板１７とを別体とし、これらを前方外郭部材１４の中央部に設けたネジ止め部１９によってネジ止めして一体化している点にある。前方外郭部材１４と制御基板１７との間には所定の隙間Ｌ（図４参照）を設けている。その他の構造や、電気製品への設置については第１の実施形態と同様であるので説明を省略する。
【００１７】
上記のような構成のコードリールセット９では、前記第１実施形態におけるメリットに加え、前方外郭部材１４と制御基板１７とを所定の隙間Ｌを設けて一体化しているため、制御基板１７の裏面にも電子部品１８を搭載することができ、制御基板１７への電子部品１８の実装効率を向上することができる。
【００１８】
なお、制御基板１７に搭載する電子部品１８として、雑音防止用コンデンサ２０を設けることもできる。このように雑音防止用コンデンサ２０をコードリールセット９の近傍に設けると、従来より容量の小さい雑音防止用コンデンサ２０でもコード１３から発生する雑音を効果的に低減することができるというメリットがある。
【００１９】
なお、本発明のコードリールセットは上記実施形態に限定されるものではなく、例えば電気製品への設置構造として、炊飯器１の底体に水平に設けることも可能である。
【００２０】
【発明の効果】
以上の説明から明らかなように、本発明のコードリールセットを有する電気製品では、製品の本体と、当該本体内に配設し、外郭を有し当該外郭内部に給電用の電源コードを巻取り保持させるコードリールセットと、前記本体内に配設し、本体内に設けた電気部品の制御を行う制御基板とを有し、前記外郭と前記制御基板とを兼用することにより前記コ−ドリールセットと前記制御基板とを一体化したので、製品のコンパクト化を実現することができるとともに、配線作業も簡便にできるという効果がある。
【図面の簡単な説明】
【図１】  第１実施形態に係るコードリールセットを備えた炊飯器の概略図である。
【図２】  図１の炊飯器のコードリールセットの正面図である。
【図３】  図２のコードリールセットの部分破断側面図である。
【図４】  第２実施形態に係るコードリールセットの部分破断側面図である。
【符号の説明】
１  炊飯器
２  本体
３  内鍋
４  蓋体
５  内鍋収容凹部
６  加熱装置
７  温度センサ
８  操作表示パネル
９  コードリールセット
１０  突起部
１１  タブ端子
１２  プラグ
１３  コード
１４  前方外郭部材
１５  後方外郭部材
１６  外郭
１７  制御基板
１８  電子部品
１９  ネジ止め部
２０  雑音防止用コンデンサ
【図１】
0003962629.tif 000002
【図２】
0003962629.tif 000003
【図３】
0003962629.tif 000004
【図４】
0003962629.tif 000005